(57)【要約】【課題】タイトル画像の印刷は、アプリケーション・プログラムに依存する。【解決手段】印刷装置に、印刷処理の実行時、ビットマップ形式のタイトルデータを記憶媒体から読み出すタイトルデータ読出部と、印刷データに対応する本体画像を有効印刷領域に配置し、前記タイトルデータに対応するタイトル画像を非有効印刷領域に配置する画像配置部とを配置する。アプリケーション・プログラム、オペレーション・システム、言語、フォント等の違いに関わらず、固定の様式でタイトル画像を印刷できる。【選択図】図３
2005313393.tif 000002
【特許請求の範囲】
【請求項１】
印刷処理の実行時、ビットマップ形式のタイトルデータを記憶媒体から読み出すタイトルデータ読出部と、
印刷データに対応する本体画像を有効印刷領域に配置し、前記タイトルデータに対応するタイトル画像を非有効印刷領域に配置する画像配置部と
を有することを特徴とするタイトル印刷機能付きの印刷装置。
【請求項２】
請求項１に記載の印刷装置において、
前記記憶媒体に複数のタイトルデータが保存されている場合、前記タイトルデータ読出部は、選択された１つのタイトルデータを前記画像配置部に与える
ことを特徴とするタイトル印刷機能付きの印刷装置。
【請求項３】
請求項１に記載の印刷装置は、
前記タイトルデータを保持する不揮発性の記憶媒体を有する
ことを特徴とするタイトル印刷機能付きの印刷装置。
【請求項４】
請求項１に記載の印刷装置は、
前記タイトルデータの入力を検出するタイトルデータ検出部と、
タイトルデータの検出時、検出されたタイトルデータを不揮発性の前記記憶媒体に登録するタイトルデータ登録部と
を更に有することを特徴とするタイトル印刷機能付きの印刷装置。
【請求項５】
印刷処理の実行時、ビットマップ形式のタイトルデータを記憶媒体から読み出すタイトルデータ読出部と、
印刷データに対応する本体画像を有効印刷領域に配置し、前記タイトルデータに対応するタイトル画像を非有効印刷領域に配置する画像配置部と
を有することを特徴とする印刷制御装置。
【請求項６】
印刷処理の実行時、ビットマップ形式のタイトルデータを記憶媒体から読み出すタイトルデータ読出処理と、
印刷データに対応する本体画像を有効印刷領域に配置し、前記タイトルデータに対応するタイトル画像を非有効印刷領域に配置する画像配置処理と
を有することを特徴とするタイトル印刷機能付きの印刷制御方法。
【請求項７】
印刷装置を制御するコンピュータに、
印刷処理の実行時、ビットマップ形式のタイトルデータを記憶媒体から読み出すタイトルデータ読出処理と、
印刷データに対応する本体画像を有効印刷領域に配置し、前記タイトルデータに対応するタイトル画像を非有効印刷領域に配置する画像配置処理と
を実行させることを特徴とするタイトル印刷機能付きの印刷プログラム。
【請求項８】
印刷装置を制御するコンピュータに、
印刷処理の実行時、ビットマップ形式のタイトルデータを記憶媒体から読み出すタイトルデータ読出処理と、
印刷データに対応する本体画像を有効印刷領域に配置し、前記タイトルデータに対応するタイトル画像を非有効印刷領域に配置する画像配置処理と
を実行させるタイトル印刷機能付きの印刷プログラムを記録した
ことを特徴とするコンピュータ読み取り可能な記録媒体。
【請求項９】
テキスト形式又はバイナリ形式で作成されたタイトルデータを、ビットマップ形式に変換するデータ変換部と、
前記ビットマップ形式のタイトルデータを記録媒体に登録するタイトルデータ登録部と
を有することを特徴とするタイトルデータ作成装置。
【請求項１０】
テキスト形式又はバイナリ形式で作成されたタイトルデータを、ビットマップ形式に変換するデータ変換処理と、
前記ビットマップ形式のタイトルデータを記録媒体に記録するタイトルデータ記録処理と
を有することを特徴とするタイトルデータ作成制御方法。
【請求項１１】
画像処理装置を制御するコンピュータに、
テキスト形式又はバイナリ形式で作成されたタイトルデータを、ビットマップ形式に変換するデータ変換処理と、
前記ビットマップ形式のタイトルデータを記録媒体に記録するタイトルデータ記録処理と
を実行させることを特徴とするタイトルデータの作成プログラム。
【請求項１２】
画像処理装置を制御するコンピュータに、
テキスト形式又はバイナリ形式で作成されたタイトルデータを、ビットマップ形式に変換するデータ変換処理と、
前記ビットマップ形式のタイトルデータを記録媒体に記録するタイトルデータ記録処理と
を実行させるタイトルデータの作成プログラムを記録した
ことを特徴とするコンピュータ読み取り可能な記録媒体。
【発明の詳細な説明】
【技術分野】
【０００１】
１つの発明は、本体画像とは別の領域にタイトル画像を付して印刷する印刷装置に関する。別の１つの発明は、印刷装置にタイトル印刷機能を実行させる印刷制御装置に関する。他の１つの発明は、タイトル印刷機能を実現する印刷制御方法に関する。
また、他の１つの発明は、コンピュータにタイトル印刷機能を実行させるプログラムに関する。また、他の１つの発明は、印刷プログラムを記録した記録媒体に関する。
１つの発明は、本体画像とは別の領域に印刷されるタイトルデータの作成装置に関する。別の１つの発明は、タイトルデータの作成制御方法に関する。他の１つの発明は、タイトルデータの作成プログラムに関する。また、他の１つの発明は、作成プログラムを記録した記録媒体に関する。
【背景技術】
【０００２】
印刷装置は、テキストデータ又はバイナリデータとして与えられる印刷データを、印刷画像として出力する装置をいう。印刷画像には、静止画、グラフィクス、表、文字、これらの任意の組み合わせが含まれる。印刷画像は、紙、フィルム、その他の印刷媒体上に印刷される。
この際、印刷画像が印刷される領域を印刷領域という。印刷領域は、印刷媒体上に定義又は設定される領域である。このうち印刷品質が保証される最大の領域を標準印刷可能領域という。
もっとも、印刷領域は、印刷装置に機能が備わっている場合、標準印刷可能領域の外側まで拡張することができる。その最大範囲は、印刷媒体の全範囲に一致する。ただし、標準印刷可能領域の外側に当たる枠状の領域は、印刷品質が保証されない領域となる。
【０００３】
図１に、標準印刷可能領域の一例を示す。図１は、印刷媒体が用紙の場合について表している。
図中、実線で示す枠線が用紙の外縁１に相当する。一方、この領域の内側に破線で囲まれる領域が標準印刷可能領域２に相当する。通常、標準印刷可能領域２の外縁は、用紙の外縁から５mmほど内側に設定されている。
印刷領域の更に内側には、印刷画像が印刷されない領域を定めることができる。この領域は、余白として定義される。この明細書では、印刷領域のうち余白を除く部分、すなわち実際に印刷画像が印刷される範囲を“有効印刷領域”と呼ぶ。また、印刷媒体のうち有効印刷領域を除く部分を“非有効印刷領域”と呼ぶ。
図２に、有効印刷領域と非有効印刷領域の関係を示す。図２は、印刷領域を標準印刷可能領域と一致させる場合に、その内側に余白を設定した場合について表している。図２の場合、網掛け領域が有効印刷領域３であり、それ以外の白地の部分が非有効印刷領域４である。
【０００４】
既存のアプリケーション・プログラムには、かかる印刷条件に従って印刷の実行を指示する機能が搭載されている。また、印刷装置には、印刷領域内の印刷画像にタイトルを重複的に印刷できる機能が搭載されている。
なお、タイトルには、印刷画像に付属する情報、印刷に関わる機関や事業者に関する情報、その他が含まれる。
この種の機能を搭載する印刷装置について記したものに特許文献１〜４がある。例えば、特許文献１には、メモリの１ビットを使用し、タイトルを印刷画像に重ねて印刷できる印刷装置が記されている。
特許文献２には、印刷画像とタイトルの合成画像を印刷する印刷装置が記されている。
特許文献３には、タイトルメモリとフレームメモリの画像データを画像合成する印刷装置が記されている。
特許文献４には、高品質のタイトルを簡便に合成できる印刷装置が記されている。
【特許文献１】特開平７−１６２７９６号公報
【特許文献２】特開平７−０９５５０３号公報
【特許文献３】特開平６−２４５２２７号公報
【特許文献４】特開平７−１３１７４４号公報
【発明の開示】
【発明が解決しようとする課題】
【０００５】
ところで、タイトルの印刷様式は、アプリケーション・プログラムの指定に依存する。一般に、アプリケーション・プログラムが異なると、印刷領域や有効印刷領域の設定方法が異なる。また、プログラムを提供するベンダーが異なると、印刷領域や有効印刷領域の設定方法が異なる。
このため、複数のアプリケーション・プログラム間でタイトル画像の印刷様式を統一するには、タイトル画像の印刷条件をプログラム別に調整する必要がある。この作業は、非常に多くの手間と時間を必要とする。
更に、用途やベンダーが異なる複数種類の専用装置を組み合わせてシステムを構成する場合、タイトルの印刷様式を統一するのが難しい。
加えて、タイトルは、文字コードとして与えられる。しかし、印刷装置において、全ての国の言語、文字の種類（フォント）に対応することはできない。
このため、今後ますます広がるであろう国際的なネットワーク環境下では、文字コードを受信してもタイトルを印刷できない事態が想定される。
【課題を解決するための手段】
【０００６】
本発明者は、以上の技術的課題に着目し、以下の技術手法を提案する。すなわち、タイトルデータをビットマップ形式で記憶媒体に登録し、印刷実行時に印刷装置（印刷制御装置を含む。）側で読み出す技術手法を提案する。
この際、印刷データに対応する本体画像は有効印刷領域に配置し、タイトルデータに対応するタイトル画像は非有効印刷領域に配置する。すなわち、タイトル画像が本体画像と重複しないように配置する。
図３に、タイトル画像の印刷例を示す。図３の場合も、実線で示す枠線が用紙の外縁１を示し、網掛け領域が有効印刷領域３を示す。
ここで、印刷データは、テキストデータ又はバイナリデータとして与えられる。テキストデータは、文字だけのデータをいう。
一方、バイナリデータは、フォント（文字の種類）、サイズ、文字修飾、レイアウト等の情報を伴う文字データ（ワープロセッサデータ）、画像データ、表データ、グラフィクス、又はこれらを任意に組み合わせた集合データをいう。
因みに、画像データには、ビットマップ形式の画像データだけでなく、ベクトル形式の画像データも含まれる。
なお、記憶媒体に複数のタイトルデータが保存されている場合には、それらの中から選択した１つのタイトルデータを印刷に使用するのが望ましい。
また、タイトルデータを保持する記憶媒体は不揮発性であることが望ましい。この記憶媒体は印刷装置本体に内蔵されたものだけでなく、印刷装置本体に対して着脱できる可搬型の媒体でも良い。
また、印刷装置（印刷制御装置を含む。）側には、タイトルデータの入力を検出し、不揮発性記憶媒体に登録する機能を搭載することが望ましい。
例えば特定の接続ポートから入力されるデータをタイトルデータとして検出する機能を備えることが望ましい。また例えば、入力データの付属する識別子に基づいてタイトルデータを検出する機能を備えることが望ましい。
この他、発明者は、かかるタイトル画像の印刷を可能とすべく、テキスト形式又はバイナリ形式で作成されたタイトルデータを、ビットマップ形式に変換して記憶媒体に登録する技術手法を提案する。
【発明の効果】
【０００７】
これらの処理技術を印刷装置又は印刷制御装置に搭載することにより、システム構成の違いに関わらず、常に統一した印刷様式のタイトル画像を印刷媒体上に印刷できる。
【発明を実施するための最良の形態】
【０００８】
以下、発明に係る技術手法を採用する画像処理装置の実施形態例を説明する。以下、この画像処理装置を画像診療システムに適用する場合について説明する。
なお、本明細書で特に図示又は記載されない部分に関しては、当該技術分野の周知又は公知の技術を適用する。
また、以下に説明する実施形態は、発明の一つの実施形態であって、これらに限定されるものではない。
【０００９】
（１）画像診療システム
図４に、画像診療システム１１の一例を示す。この画像診療システム１１は、ＬＡＮ（local area network）１３経由で接続された４台のディジタル画像装置１５、１７、１９、２１を有する。
ディジタル画像装置には、画像発生装置、画像保管装置、画像表示装置、画像処理装置、画像診断装置、画像印刷装置等が含まれる。実際の画像診療システムでは、これらを診療目的に応じて組み合わせたものを使用する。
この実施例では、ディジタル画像装置１５、１７、１９が画像発生装置であり、ディジタル画像装置２１が画像印刷装置であるものとする。
画像発生装置には、例えばＸ線画像装置（ＣＴ：Computed Tomography、ＣＲ：Computed
Radiography等）、磁気共鳴診断装置（ＭＲＩ：Magnetic Resonance Imaging）、超音波検査装置（ＵＳ：UltraSound）、核医学画像装置等がある。
図４の場合、画像発生装置として、Ｘ線診断装置１５、ＭＲＩ装置１７、超音波検査装置１９を使用する。
これらディジタル画像装置は、いずれも医用専用の通信規格に準拠する。例えば、ＤＩＣＯＭ（Digital Imaging and Communications in Medicine）規格に準拠する。ＤＩＣＯＭ規格に準拠したディジタル画像装置は、ネットワーク又は記録媒体を通じて、検査情報や画像情報を相互に受け渡すことができる。
【００１０】
（１−１）印刷装置の構成
図５に、印刷装置２１のハードウェア構成例を示す。印刷装置２１は、筐体２１Ａ、印刷制御部２１Ｂ、データ処理部２１Ｃ、タイトルデータ記憶部２１Ｄ、給紙機構２１Ｅ、印刷デバイス２１Ｆ、外部インターフェース２１Ｇ、２１Ｈを主要な構成とする。
なお、印刷装置２１には、印刷データの保存用にハードディスク装置その他の大容量記憶装置を搭載するものもある。
印刷制御部２１Ｂは、マイクロプロセッサを基本構成とする。すなわち、ＭＰＵ（MicroProcessing
Unit ）、ＲＯＭ（Read Only Memory）、ＲＡＭ（Random Access Memory）その他を基本構成とする。もっとも、ロジック回路、処理ボード又は制御ボードとしても実現できる。
印刷制御部２１Ｂの機能は、ファームウェア又はソフトウェアとして実現される。これらのプログラムは、ＲＯＭその他の不揮発性記憶媒体から読み出されて実行される。印刷実行時、印刷制御部２１Ｂは、印刷装置を構成する各部の動作を制御する。
データ処理部２１Ｃは、印刷データを印刷に適したデータ形式に信号処理するデバイスである。データ処理部２１Ｃは、印刷データをビットマップ形式の画像データに変換する。例えば、ポスト・スクリプト・データに変換する。この他、データ処理部２１Ｃは、印刷デバイスの印刷方式に応じてデータの並び替えその他の信号処理を実行する。
また、データ処理部２１Ｃは、有効印刷領域に印刷データに対応する本体画像を配置し、非有効印刷領域にタイトルデータに対応するタイトル画像を配置する処理も実行する。すなわち、画像配置部として機能する。
【００１１】
タイトルデータ記憶部２１Ｄは、ビットマップ形式のタイトルデータを保存する記憶媒体である。タイトルデータ記憶部２１Ｄには、例えば書き換え可能な不揮発性の記憶媒体を使用する。
記憶媒体には、半導体メモリ、ハードディスク装置その他の磁気記憶媒体、光記憶媒体を使用する。なお、記憶媒体には、筐体２１Ａに対して着脱できるものを採用しても良い。可搬型の記憶媒体の場合、タイトルデータ記憶部２１Ｄは、記憶媒体に応じた駆動装置で構成する。
給紙機構２１Ｅは、印刷媒体を搬送する機械装置である。もっとも、印刷媒体を静止又は固定し、印刷デバイス２１Ｆを相対移動させる方式の場合には、印刷デバイス２１Ｆ又は筐体２１Ａを相対移動させる機構部を使用する。この実施例の場合、印刷媒体には、用紙又はフィルムを使用する。
印刷デバイス２１Ｆは、本体画像及びタイトル画像を印刷媒体に印刷する機構部である。印刷デバイス２１Ｆには、印刷装置２１の印刷方式に応じたものが使用される。印刷方式には、例えば、熱転写式、インクジェット式、レーザー式がある。
外部インターフェース２１Ｇは、ＬＡＮインターフェースである。すなわち、ＬＡＮ１３との接続用である。なお、ＬＡＮ１３への接続形態は、有線接続でも無線接続でも良い。
外部インターフェース２１Ｈは、タイトルデータの作成機能を搭載する画像処理装置との接続用である。例えばＵＳＢ（universal serial bus）インターフェース、ＩＥＥＥ１３９４インターフェース、ＳＣＳＩ（Small Computer System Interface ）、ＡＴＡＰＩ（ATA
Packet Interface）が使用される。
【００１２】
図６に、印刷装置２１の機能構成例を示す。図６は、タイトル画像の付与機能に関する構成部分について表している。この機能面から見た印刷装置２１は、印刷データ受信部３１、タイトルデータ記憶部３３、画像配置部３５でなる。
印刷データ受信部３１は、外部インターフェース２１Ｇ経由で受信した印刷データを、ビットマップ形式に変換する信号処理部である。例えば、印刷データに含まれる文字コードを印刷装置２１の対応するフォント形式に従い、ビットマップ形式の本体画像データに変換する。
この印刷データ受信部３１は、前述したデータ処理部２１の一機能に対応する。なお、この実施例では、印刷データとして、Ｘ線診断装置１５、ＭＲＩ装置１７、超音波検査装置１９で発生された患者の画像データである。
タイトルデータ記憶部３３は、前述のタイトルデータ記憶部２１Ｄに対応する。すなわち、タイトルデータ記憶部３３は、全ての印刷ページに対して共通のタイトル画像をビットマップ形式で表したタイトルデータを保存する。
このタイトルデータはビットマップ形式である。従って、印刷装置２１が対応しない言語やフォントを扱うことも可能である。
画像配置部３５は、印刷データに対応する本体画像を図３の有効印刷領域３に、タイトルデータに対応するタイトル画像を図３の非有効印刷領域４に配置する。結果的に、タイトル画像を本体画像の欄外に合成した画像データが印刷デバイス２１Ｆに出力される。
【００１３】
（１−２）タイトルデータ作成装置（画像処理装置）
タイトルデータ作成装置は、タイトルデータの作成機能を搭載する画像処理装置である。タイトルデータの作成機能を搭載する限りにおいて、画像処理装置の商品形態は問わない。
例えば、前述したディジタル画像装置のいずれかでも良い。また例えば、デスクトップ型又はノート型のコンピュータでも良い。また例えば、タイトルデータ作成専用の装置でも良い。
この実施例の場合、タイトルデータ作成装置は、コンピュータ上で実行されるソフトウェア処理により実現される。すなわち、タイトルデータ作成装置は、筐体と、マイクロプロセッサ（ＣＰＵ、ＲＯＭ、ＲＡＭ）と、ハードディスク装置と、外部インターフェースで構成される。ここでの外部インターフェースは、印刷装置２１との一対一の接続用である。
図７に、タイトルデータの作成機能に関連する機能構成を示す。このタイトルデータ作成装置４１は、データ変換処理部４３とタイトルデータ記憶処理部４５を基本構成とする。
データ変換処理部４３は、テキスト形式又はバイナリ形式で作成されたタイトルデータを入力し、ビットマップ形式に変換する機能を提供する。ここで入力されるバイナリ形式のデータは、コンピュータ上で実行されるアプリケーション・プログラムで作成されたデータだけでなく、スキャナ、デジタルカメラ、映像再生装置等から取り込まれる静止画データを含む。
タイトルデータ記憶処理部４５は、ビットマップ形式に変換されたタイトルデータを記憶媒体に登録する機能を提供する。
この実施例の場合、タイトルデータ記憶処理部４５は、タイトルデータ作成装置として機能するコンピュータに外部インターフェース経由で接続された印刷装置２１にタイトルデータを出力する。
すなわち、タイトルデータ記憶処理部４５と印刷制御部２１Ｂとの通信を通じて、タイトルデータ記憶部２１Ｄにタイトルデータが書き込まれる。
なお、登録先となる不揮発性の記憶媒体が筐体に対して着脱自在である場合、タイトルデータ記憶処理部４５は、筐体内に装着されている不揮発性の記憶媒体にタイトルデータを登録する。
【００１４】
（２）処理動作
続いて、画像診療システムの処理動作を、操作内容に沿って説明する。
まず、印刷装置にタイトルデータを登録する際の処理動作を説明する。タイトルデータの登録時、タイトルデータ作成装置４１を印刷装置２１に直接接続する。この接続は、非ＬＡＮ接続である。
図８に、接続形態を示す。このとき、印刷装置２１は、非ＬＡＮ接続用の外部インターフェース２１Ｈを通じてタイトルデータ作成装置４１と接続される。印刷制御部２１Ｂは、外部インターフェース２１Ｈを通じて入力されるディジタルデータをタイトルデータと判断する。
従って、タイトルデータ作成装置４１から印刷装置２１に出力されたタイトルデータは、タイトルデータ記憶部２１Ｄに自動的に記憶される。タイトルデータ記憶部２１Ｄは不揮発性の記憶媒体であるため、書き込まれたタイトルデータは印刷実行時まで保持される。
因みに、外部インターフェース２１Ｈは、タイトルデータの入力ポートとして登録されている。このため、タイトルデータには、データ本体がタイトルデータであることを示す識別子等は付されていない。
なお、図８に破線で示したように、不揮発性の記憶媒体（例えば、半導体メモリ、光記録媒体）を通じ、タイトルデータを印刷装置２１に登録することもできる。この場合、タイトルデータ作成装置４１から取り外された不揮発性記憶媒体は、印刷装置２１の筐体２１Ａに設けた外部スロット等に挿入される。
この他、タイトルデータは、ネットワーク経由で印刷装置２１に登録することもできる。図９に、接続形態を示す。この場合、印刷装置２１は、ＬＡＮ接続用の外部インターフェース２１Ｇを通じてタイトルデータ作成装置４１と接続される。
印刷制御部２１Ｂは、外部インターフェース２１Ｇを通じて入力されるディジタルデータの内容を示す識別子に基づいて入力データを識別する。すなわち、タイトルデータか、印刷データかを判断する。
そして、印刷制御部２１Ｂは、識別子の情報からタイトルデータであると判断した場合、外部インターフェース２１Ｇ経由で入力されたディジタルデータをタイトルデータ記憶部２１Ｄに記憶する。
【００１５】
次に、印刷装置２１で患者の画像データを印刷する際の処理動作を説明する。この場合の接続形態を図１０に示す。図１０に示すように、印刷装置２１には、ＬＡＮ１３経由でＸ線ＣＴ装置１５、ＭＲＩ装置１７、ＵＳ装置１９が接続されている。
例えば、Ｘ線ＣＴ装置１５で撮像された画像データ（ビットマップ形式）が印刷データとして印刷装置２１に入力される。ここで、印刷装置２１は、印刷データを外部インターフェース２１Ｇ経由で入力する。
印刷装置２１は、印刷データを印刷に適したデータ形式（例えば、ポストスクリプト形式）に変換する。印刷装置２１は、データ形式変換後の印刷データとタイトルデータを印刷デバイス２１に与える。
この結果、印画紙上には、図３に示すように有効印刷領域３には本体画像が、非有効印刷領域４には全出力に共通のタイトル画像（シンボルマークと“International Medical Center”の文字列）が印刷される。
タイトル画像の印刷様式（内容及び印刷位置）は、印刷装置２１に予め登録されている。従って、タイトル画像が予め印字された専用の用紙を用いずとも、決められた位置に決められた内容でタイトル画像を印刷することができる。
【００１６】
（３）実施例の効果
以上のように、タイトルデータは印刷装置２１内に予め登録されている。このため、ディジタル画像装置においてタイトルデータを入力する必要がない。
また、タイトル画像の印刷には、印刷装置２１に保持されている共通のタイトルデータが用いられる。このため、タイトル画像の印刷様式は、全ての印刷物で同じになる。
また、タイトル画像はビットマップ形式である。このため、印刷装置で対応しないフォントを含むタイトル画像に関しても、原データを正確に反映した印刷を実現できる。
【００１７】
（４）他の実施例
（ａ）前述の実施形態では、画像診療システムを前提とした。しかし、オフィスや家庭内の画像出力システムに適用することもできる。この場合には、画像処理装置として、ゲーム機、携帯情報端末（携帯電話機を含む。）、ビデオカメラ、デジタルカメラその他を使用する。
本明細書で提案する技術を使用すれば、アプリケーション・プログラムの個々の設定によらずにタイトル画像を印刷できる。従って、全てのアプリケーション・プログラムに個別にタイトル画像を登録する手間を省くことができる。
また、文字データだけでなく、シンボルマークを含んだタイトル画像の印刷が実現される。
また、図１１に示すように、国際的なネットワーク環境下では、使用する言語やフォントも異なるが、各地域で使用する全ての印刷装置に共通のタイトル画像を登録しておくことにより、特殊なフォントやデザインであっても正確に印刷できる。
例えば、日本語を含むタイトル画像を、英語圏、スペイン語圏、アラビア語圏の印刷装置２１を用いて簡単に出力できる。なお、図１１では、各言語圏に、印刷装置２１と画像処理装置５１が配置されているものとして表している。
また例えば、アラビア語を含むタイトル画像を、日本語圏、英語圏、スペイン語圏の印刷装置２１を用いて簡単に出力できる。
勿論、本明細書で提案する技術を使用すれば、言語やフォントの違いだけでなく、オペレーション・システムの違いに関わらず、同じタイトル画像を印刷できる。
（ｂ）この他、発明の趣旨の範囲内で様々な変形例が考えられる。また、本明細書の記載に基づいて創作される各種の変形例及び応用例も考えられる。
【図面の簡単な説明】
【００１８】
【図１】標準印刷可能領域の一例を示す図である。
【図２】有効印刷領域と非有効印刷領域の一例を示す図である。
【図３】タイトル画像の印刷例を示す図である。
【図４】画像診療システムの一例を示す図である。
【図５】印刷装置のハードウェア構成例を示す図である。
【図６】印刷装置の機能構成例を示す図である。
【図７】タイトルデータ作成装置の機能構成例を示す図である。
【図８】タイトルデータ登録時の接続形態例を示す図である。
【図９】タイトルデータ登録時の接続形態例を示す図である。
【図１０】印刷実行時の接続形態例を示す図である。
【図１１】ネットワーク構成例を示す図である。
【符号の説明】
【００１９】
１            外枠
２            標準印刷可能領域
３            有効印刷領域
４            非有効印刷領域
１１          画像診療システム
２１          印刷装置
２１Ｄ、３３  タイトルデータ記憶部
３１          印刷データ受信部
３５          画像配置部
４１          タイトルデータ作成装置
４３          データ変換処理部
４５          タイトルデータ記憶処理部
【図１】
2005313393.tif 000003
【図２】
2005313393.tif 000004
【図３】
2005313393.tif 000005
【図４】
2005313393.tif 000006
【図５】
2005313393.tif 000007
【図６】
2005313393.tif 000008
【図７】
2005313393.tif 000009
【図８】
2005313393.tif 000010
【図９】
2005313393.tif 000011
【図１０】
2005313393.tif 000012
【図１１】
2005313393.tif 000013